(57)【要約】【課題】コピー紙そのものへ現在時刻を印字表示するだけではなく、コピー紙に埋め込まれた粉末状ＩＣチップにも現在時刻を書込むようにし、またタイマーの精度向上を図るようにした現在時刻書込み機能付ホワイトボードを提供する。【解決手段】記入面１、記入面読取部２、現在時刻表示部３、タイマー、各種の設定を行なう操作部４、粉末状ＩＣチップ書込み部３４、印字出力部５を備え、操作部４による印刷指示により、画像印刷時に、現在時刻をタイマーから読出し、粉末状ＩＣチップ書込み部３４によりコピー紙に埋め込まれた粉末状ＩＣチップに書込む機能、電波時計より受信した現在時刻をタイマーに設定する機能を有する。【選択図】        図１
2005024424.tif 000002
【特許請求の範囲】
【請求項１】
記入面、記入面読取部、現在時刻表示部、タイマー、各種の設定を行なう操作部、粉末状ＩＣチップ書込み部、印字出力部を備えた現在時刻書込み機能付ホワイトボードにおいて、
操作部による印刷指示により、画像印刷時に、現在時刻をタイマーから読出し、粉末状ＩＣチップ書込み部によりコピー紙に埋め込まれた粉末状ＩＣチップに書込む機能を有することを特徴とする現在時刻書込み機能付ホワイトボード。
【請求項２】
操作部により現在時刻をコピー紙への印字及び／又は粉末状ＩＣチップへの書込みを選択設定する機能を有し、現在時刻をコピー紙への印字を選択設定した場合には、操作部により現在時刻の印字表示位置、文字の大きさとフォントを自由に選択設定する機能、及び印字出力部により選択設定された文字の大きさとフォントで現在時刻をコピー紙の選択設定された位置に印字表示する機能を有することを特徴とする請求項１に記載の現在時刻書込み機能付ホワイトボード。
【請求項３】
操作部により現在時刻を記入面に表示するか否かを選択設定する機能を有することを特徴とする請求項１又は請求項２に記載の現在時刻書込み機能付ホワイトボード。
【請求項４】
現在時刻を電波時計より受信し、タイマーに設定する機能を有することを特徴とする請求項１乃至請求項３のいずれかに記載の現在時刻書込み機能付ホワイトボード。
【発明の詳細な説明】
【０００１】
【発明の属する技術分野】
本発明は、現在時刻書込み機能付ホワイトボードに関する。
【０００２】
【従来の技術】
ホワイトボード、操作手段、日時表示部、カレンダ時計、操作部、印刷手段、カレンダ時計のバッテリバックアップ手段等を備え、コピー紙にホワイトボードに書込まれた画像とともに現在の日時を印刷するようにしたコピーボード装置が提案されている（例えば、特許文献１参照）。
【０００３】
【特許文献１】
実開平５−４３６５７号公報
【０００４】
【発明が解決しようとする課題】
しかしこの公報で提案されているコピーボード装置では、コピー紙そのものへの現在の日時の印字であり、またカレンダ時計の精度向上についても考慮されていない。
【０００５】
本発明はこのような点に鑑みなされたもので、コピー紙そのものへ現在時刻を印字表示するだけではなく、コピー紙に埋め込まれた粉末状ＩＣチップにも現在時刻を書込むようにし、またタイマーの精度向上を図るようにした現在時刻書込み機能付ホワイトボードを提供することを目的とする。
【０００６】
【課題を解決するための手段】
上記目的を達成するために、本発明の現在時刻書込み機能付ホワイトボードは、
記入面１、記入面読取部２、現在時刻表示部３、タイマー、各種の設定を行なう操作部４、粉末状ＩＣチップ書込み部３４、印字出力部５を備え、操作部４による印刷指示により、画像印刷時に、現在時刻をタイマーから読出し、粉末状ＩＣチップ書込み部３４によりコピー紙に埋め込まれた粉末状ＩＣチップに書込む機能を有することを特徴とする。
【０００７】
また上記において、操作部４により現在時刻をコピー紙６への印字及び／又は粉末状ＩＣチップへの書込みを選択設定する機能を有し、現在時刻をコピー紙６への印字を選択設定した場合には、操作部４により現在時刻の印字表示位置、文字の大きさとフォントを自由に選択設定する機能、及び印字出力部５により前記選択設定された文字の大きさとフォントで現在時刻をコピー紙６の選択設定された位置に印字表示する機能を有することを特徴とする。
【０００８】
さらに上記において、操作部４により現在時刻を記入面１に表示するのか否かを選択設定する機能を有することを特徴とする。
さらにまた上記において、現在時刻を電波時計より受信し、タイマーに設定する機能を有することを特徴とする。
【０００９】
【発明の実施の形態】
本発明の実施の形態を実施例にもとづき図面を参照して説明する。
図１は現在時刻書込み機能付ホワイトボードの外観図である。
１は記入面で、文字、記号、図形等が記入される。２は記入面に記入された文字、記号、記号等の画像を読取る記入面読取部、３は現在時刻表示部であり、例えば現在の「年月日時分」が表示されるが、時刻の表示を必要としない場合には、表示しないように選択することもできる。
４は操作部であり、画像の読取・印刷指示、現在時刻の印刷指示、各種の選択設定等の操作を行なう。５は印字出力部で、画像とともに現在時刻を書込まれ、或いは印字表示されたコピー紙６が出力する。
このコピー紙６には粉末状ＩＣチップが埋め込まれている。
【００１０】
操作部４による各種の選択設定等には、現在時刻をコピー紙への印字及び／又は粉末状ＩＣチップへの書込みを選択設定、現在時刻の印字表示位置と文字の大きさ・フォントの選択設定、現在時刻を記入面１に表示するのか否かの選択設定、コピー紙６のサイズの選択設定等が含まれる。
【００１１】
図２は現在時刻書込み機能付ホワイトボードの機能的構成のブロック図である。
２１は、ＲＯＭ、ＲＡＭ等の記憶部を備え、ホワイトボードの全体を制御する全体制御部、２２は通信機能部、２３は図１の印字出力部５、および２４は図１の操作部４に相当する。２５は表示面駆動部、２６は図１の記入面読取部２であり、２７は主電源部、２８は電波時計受信部である。
２９はタイマー制御部、３０はタイマー設定部、３１はタイマー表示部であり、これらによりタイマーが構成されている。
【００１２】
３２は、主電源部２７とは別のバックアップ用のタイマー用内蔵電源部で、主電源部２７が切断された後もタイマーの動作を継続する。３３は時刻出力部である。
３４は記入面１の画像を印刷する際に、コピー紙６に埋め込まれた粉末状ＩＣチップに現在時刻を書込むための粉末状ＩＣチップ書込み部である。
本発明では、精度向上を計るため、現在時刻を電波時計より受信し、タイマーにこの現在時刻を設定するようにしている。
【００１３】
上記の構成において、操作部４により、画像の印刷指示が行なうと、記入面読取部２により画像が読取られ、印字出力部５から読取った画像が印刷されたコピー紙６が出力するが、同時に粉末状ＩＣチップ書込み部３４により現在時刻がコピー紙６に埋め込まれた粉末状ＩＣチップに書込まれる。
【００１４】
また操作部４により、現在時刻をコピー紙６への印字及び／又は粉末状ＩＣチップへの書込みを選択設定し、また現在時刻をコピー紙への印字を選択設定した場合には、現在時刻の印字表示位置、文字の大きさとフォントを自由に選択設定することにより、選択設定された大きさのコピー紙６が、選択設定されたように処理されて印字出力部５に出力される。
【００１５】
また操作部４により現在時刻をコピー紙６に埋め込まれた粉末状ＩＣチップに書込むだけでなく、コピー紙に印字表示するようにも選択設定できるので、粉末状ＩＣチップを埋め込んだコピー紙が手許にない場合にもコピー紙に現在時刻を表示する必要がある場合に対処することができる。
【００１６】
さらに操作部により現在時刻を記入面１に表示するのか否かを選択設定することにより、選択設定されたように現在時刻が記入面１に表示されたり、表示されなかったりする。
【００１７】
図３はタイマーの時刻を設定する場合の処理のフローチャートである。
ステップＳ３０で処理がスタートし、ステップＳ３１で電波時計機能付きか判断をし、電波時計機能付きであればステップＳ３２で電波時計の時刻を受信し、ステップＳ３３で受信可能かの判断をし、受信可能であればタイマーへ現在時刻を設定し、またステップＳ３１とステップＳ３３での判断が「Ｎ」であればステップＳ３４で現在時刻を手動で設定し、いずれの場合もステップＳ３６で処理を終了する。
【００１８】
図４はコピー紙に印刷する場合のプリント出力の処理のフローチャートであり、ステップＳ４０で処理がスタートし、ステップＳ４１でプリント出力指定かを判断し、そうであればステップＳ４２でタイムスタンプ指定かを判断し、「Ｙ」であればステップＳ４３で現在時刻をタイマーから読み出して、ステップＳ４４でコピー紙に埋め込まれた粉末状ＩＣチップに読み出した現在時刻を書込み、ステップＳ４５でプリント出力し、ステップＳ４６で処理を終了する。
ステップＳ４１とステップＳ４２での判断が「Ｎ」の場合は、ステップＳ４５でプリント出力して、ステップＳ４６で処理を終了する。
【００１９】
【発明の効果】
本発明によれば、コピー紙に埋め込まれた粉末状ＩＣチップに現在時刻を書込むことができると共に、コピー紙そのものへも印字表示できるので粉末状ＩＣチップを埋め込んだコピー紙が手許にない場合にコピー紙に現在時刻を印字表示する必要がある場合に対処することができる。
また現在時刻を電波時計より受信して設定するので、タイマーの精度向上を図ることができる。
【図面の簡単な説明】
【図１】現在時刻書込み機能付ホワイトボードの外観図。
【図２】現在時刻書込み機能付ホワイトボードの機能的構成のブロック図。
【図３】タイマーの時刻を設定する場合の処理のフローチャート。
【図４】コピー紙に印刷する場合のプリント出力の処理のフローチャート。
【符号の説明】
１  記入面
２  記入面読取部
３  時刻表示部
４  操作部
５  印字出力部
６  コピー紙
２１  全体制御部
２２  通信機能部
２３  印字出力部
２４  操作部
２５  表示面駆動部
２６  記入面読取部
２７  主電源部
２８  電波時計受信部
２９  タイマー制御部
３０  タイマー設定部
３１  タイマー表示部
３２  タイマー用内蔵電源部
３３  時刻出力部
３４  粉末状ＩＣチップ書込み部
【図１】
2005024424.tif 000003
【図２】
2005024424.tif 000004
【図３】
2005024424.tif 000005
【図４】
2005024424.tif 000006